(57)【要約】【課題】  入手が容易な矩形状研磨材を使用して取扱いが容易な手持ち研磨工具を提供すること。【解決手段】    下面に緩衝部材６を介して矩形状研磨材７を担持する平板部材１と、ターンバックル５を内包し、このターンバックルのフック52、54を両端より突出させた把手３と、平板部材１の上面に固定されて、ターンバックル５の前側のフック54を係合させる高い凸部22およびターンバックル５の後側のフック52を通すスリット27を有する低い凸部26を備えた把手支持部材２と、平板部材１の前端部に沿って折り返された矩形状研磨材７の前端部を上から押さえて固定する研磨材押さえ部材８と、矩形状研磨材７の後端部に固定してターンバックル５の後側のフック52に係合させるクランパー９とを具備し、把手３を介してターンバックル５を回して矩形状研磨材７の張力を調整する。【選択図】  図４
2014069247.tif 000002
【特許請求の範囲】
【請求項１】
下面に緩衝部材を介して矩形状研磨材を担持する平板部材と、
ターンバックルを内包し、該ターンバックルのフックを両端より突出させた把手と、
上記平板部材の上面に固定されて、上記ターンバックルの前側のフックを係合させる高い凸部および上記ターンバックルの後側のフックを通すスリットを有する低い凸部を備えた把手支持部材と、
上記平板部材の前端部に沿って折り返された上記矩形状研磨材の前端部を上から押さえて固定する研磨材押さえ部材と、
上記矩形状研磨材の後端部に固定して上記ターンバックルの後側のフックに係合させるクランパーとを具備し、上記把手を介して上記ターンバックルを回して上記矩形状研磨材の張力を調整することを特徴とする手持ち研磨装置。
【発明の詳細な説明】
【技術分野】
【０００１】
この発明は、工具本体に担持された研磨布紙によって研磨対象表面を研磨する手持ち研磨工具に関する。
【背景技術】
【０００２】
木材や金属材の研削、表面仕上げ等の加工作業に使用される手持ち研磨工具として、研磨作業者が片手で自在に操作可能な寸法および重量を有する本体の平坦面に、所望粒度の砥粒を担持した研磨布紙を適宜交換可能に取着して使用するものが下記特許文献１により提案されている。
【０００３】
この種の研磨手工具においては、繰返し接着・剥離が可能な粘着剤（感圧接着剤）を研磨布紙の裏面に塗布し、表面に砥粒を担持させた粘着剤付研磨布紙が、その交換作業性に優れているので広く使用されている。
【先行技術文献】
【特許文献】
【０００４】
【特許文献１】特開平１０−２０２５４１号公報
【発明の概要】
【発明が解決しようとする課題】
【０００５】
このような従来の手持ち研磨工具においては、研磨布紙の裏面に粘着剤を塗布した帯状材をロール状に巻いたものを使用しており、従来より汎用されている粘着層を有しない矩形状研磨材を使用することはできなかった。
【課題を解決するための手段】
【０００６】
この発明の手持ち研磨工具は、下面に緩衝部材を介して矩形状研磨材を担持する平板部材と、ターンバックルを内包し、このターンバックルのフックを両端より突出させた把手と、上記平板部材の上面に固定されて、上記ターンバックルの前側のフックを係合させる高い凸部および上記ターンバックルの後側のフックを通すスリットを有する低い凸部26を備えた把手支持部材と、上記平板部材の前端部に沿って折り返された上記矩形状研磨材の前端部を上から押さえて固定する研磨材押さえ部材と、上記矩形状研磨材の後端部に固定してターンバックルの後側のフックに係合させるクランパーとを具備し、把手３を介してターンバックル５を回すことにより矩形状研磨材７の張力を調整するものである。
【発明の効果】
【０００７】
この発明の手持ち研磨工具によると、入手が容易な矩形状研磨材を使用するものであり、矩形状研磨材の交換が容易であり、さらに、研磨作業中に矩形状研磨材の張力が弱って弛んだ場合には、把手を介してターンバックルを回すことにより、張力を強めることができるなどの優れた効果を奏することができる。
【図面の簡単な説明】
【０００８】
【図１】この発明の手持ち研磨工具の側面図、
【図２】図１に示す工具の平面図、
【図３】図１に示す工具の長手方向の縦断面図、
【図４】図１に示す工具の斜視図、
【図５】図１に示す工具の組立図、
【図６】図１に示す工具における一部の正面図である。
【発明を実施するための形態】
【０００９】
この発明の手持ち研磨装置は、図１の側面図、図２の平面図および図４の斜視図に示すように、両側部を直角に上向きに曲げた平坦な下面を有する平板部材１と、この平板部材１の上面に固定された把手支持部材２と、この把手支持部材２により支持される把手３と、平板部材１の平坦な下面に緩衝部材６を介して保持される矩形状研磨材７とにより構成される。
【００１０】
研磨作業者によって握持される把手３は、図３の断面図および図５の組立図に示すように、貫通孔31を有する円筒状のもので、 手で握り易くするためにウレタン発泡体などの軟質合成樹脂で作られている。
【００１１】
把手３の貫通孔31には、長手方向にスリット41を形成したパイプ４と、このパイプ４に対して回動しないように嵌め込まれたターンバックル５が挿通されている。
【００１２】
このように、パイプ４とともにターンバックル５を把手３に内包した状態においては、ターンバックル５の２本の螺子棒51、53のフック52、54が把手３の両端より突出している。
【００１３】
把手支持部材２は、上向きの高い凸部22と、低い凸部26と、両凸部22、26を支持する平板部21とを有する部材であって、木、プラスチック、軽金属などの比較的丈夫で軽量な材料で形成される。
【００１４】
把手支持部材２の高い凸部22には、ターンバックル５の一方のフック54が入る窪み23と、この窪み23と交叉する方向にボルト24を挿通する貫通孔が開けられており、さらに、把手３の上端部を嵌める切欠き25が形成されている。ボルト24は、ターンバックル５の一方のフック54を引っ掛けて保持するものである。
【００１５】
把手支持部材２の低い凸部26は、ターンバックル５の他方のフック52および螺子棒51の一部が入るスリット27と、把手３の下端部を嵌める切欠き28が形成されている。
【００１６】
平板部材１の下面には、全面にゴムのシートなどの緩衝部材６が貼り付けられており、この緩衝部材６を覆うように研磨材７が交換可能に担持される。
【００１７】
平板部材１の前端部には、図３の断面図に示すように、矩形状研磨材７の前端部を固定する研磨材押さえ部材８が設けられている。
【００１８】
この研磨材押さえ部材８は、両側部を直角に曲げた断面形状がコ字形の第１のチャンネル部材81であり、平板部材１の前端部に下向きに配置したものであって、平板部材１の前端部に沿って折り返された矩形状研磨材７の前端部を押さえ付けて固定するものである。
【００１９】
図６に拡大して示すように、研磨材押さえ部材８は、第１のチャンネル部材81と、平板部材１に植設されて第１のチャンネル部材81の貫通孔を経て突出する棒材82と、この棒材82の突出部の先端近傍に開けられた横孔に挿通されたピン84と、このピン84により回動自在に支持されたレバー部材83とにより構成される。
【００２０】
図６に点線で示すように、レバー部材83を立てると、レバー部材83の先端面とピン84の間隔ａが狭くなって第１のチャンネル部材81を押し付けないが、実線で示すように、レバー部材83を倒すと、レバー部材83の側面とピン84の間隔ｂが拡がって（ｂ＞ａ）、平板部材１に第１のチャンネル部材81を押しつけて、矩形状研磨材７の前端部を挟んで固定する。
【００２１】
この他に、矩形状研磨材７の後端部を掴んで保持するクランパー９を備えている。図５の組立図に示すように、このクランパー９は、ターンバックル５のフック52に係合する孔92を中央側部に開け、中央部に螺子棒93を植設し、側部端縁にピン94を植設した長方形の板材91と、螺子棒93およびピン94が挿通される２つの孔96、97を開けた第２のチャンネル部材95と、螺子棒93にねじ込む摘み98とにより構成される。
【００２２】
クランパー９に矩形状研磨材７の後端部を挟む際には、摘み98を回して長方形の板材91と第２のチャンネル部材95との間に隙間を形成し、矩形状研磨材７の後端部を挿し込んで摘み98を回して第２のチャンネル部材95を長方形の板材91に押しつけることにとり矩形状研磨材７を挟んで固定する。このとき、長方形の板材91に植設したピン94が、第２のチャンネル部材95の孔97に挿通されているので、摘み98を回しても第２のチャンネル部材95が友回りすることはないのである。
【００２３】
このように構成されたこの発明の手持ち研磨工具を使用する際には、把手３を介してターンバックル５を回し、２つのフック52、54の間隔を拡げる。
【００２４】
矩形状研磨材７の後端部にクランパー９を固定して、ターンバックル５のフック52にクランパー９の孔92を係合させる。
【００２５】
クランパー９を介してフック52に係合させた矩形状研磨材７を、平板部材１の下面の緩衝部材６に沿わせて、平板部材１の先端部で折り返し、研磨材押さえ部材８で固定する。
【００２６】
そして、把手３を介してターンバックル５を回し、２つのフック52、54の間隔を狭めると、矩形状研磨材７に張力が作用して研磨材７を固定することができる。研磨作業中に、矩形状研磨材７が伸びて弛んだ場合には、把手３を介してターンバックル５を回すことにより張力を増すことができる。
【符号の説明】
【００２７】
１  平板部材
２  把手支持部材
22  高い凸部
26  低い凸部
27  スリット
３  把手
４  パイプ
５  ターンバックル
52、54  フック
６  緩衝部材
７  矩形状研磨材
８  研磨材押さえ部材
９  クランパー
【図１】
2014069247.tif 000003
【図２】
2014069247.tif 000004
【図３】
2014069247.tif 000005
【図４】
2014069247.tif 000006
【図５】
2014069247.tif 000007
【図６】
2014069247.tif 000008